(57)【要約】【課題】照明輝度を保ちつつ質感を向上させることが可能な指針式計器を提供する。【解決手段】指針３と、この指針３に対応する指標部４とこの指標部４の背景となる第１の地部５Ａとを備える表示板５と、表示板５を背後から照明する照明手段Ｌとを備えており、表示板５の第１の地部５Ａが光透過性を有するように構成され、照明手段Ｌは光源９と、光源９に対向する反射層５２５と、表示板５に沿って光源９及び反射層５２５から離れる方向に延びる反射壁７２と、光源９と反射層５２５との間と反射壁７２と表示板５との間の双方に連通する空気層Ｓとを有し、光源９からの直接光と間接光とでなる照明光により第１の地部５Ａを面照明するよう構成され、しかも第１の地部５Ａに到達する照明光の光量は光源９から遠ざかるに従って次第に減少するように構成される。【選択図】    図２
2004177372.tif 000002
【特許請求の範囲】
【請求項１】
指針と、
この指針に対応する指標部と光透過性の地部とを備える表示板と、
この表示板を背後から照明する照明手段とを備え、
前記照明手段は光源と、前記指針の回転軸線方向において前記光源に対向する第１の反射体と、前記表示板に沿って前記光源及び前記第１の反射体から離れる方向に延びる第２の反射体とを有し、前記地部を照らす前記光源からの直接光と前記光源から発せられ前記第１，第２の反射体を通じて前記地部を照らす間接光とでなる照明光により前記地部を面照明するよう構成されると共に、前記地部に到達する前記照明光の光量が前記光源から遠ざかるに従って次第に減少するように構成されることを特徴とする指針式計器。
【請求項２】
前記地部はその平面方向において光透過度が略一定であることを特徴とする請求項１記載の指針式計器。
【請求項３】
前記第１の反射体が前記表示板に設けられた印刷層からなることを特徴とする請求項１記載の指針式計器。
【発明の詳細な説明】
【０００１】
【発明の属する技術分野】
本発明は、例えば自動車、オートバイ、農機、建機、船舶に搭載され、計器パネル等の表示板上を回転する指針にて所定の計測値を表示する指針式計器に関し、特に表示板に照明構造に関するものである。
【０００２】
【従来の技術】
従来、この種の指針式装置の表示板を照明する照明装置として、例えば下記特許文献１に記載されたものが知られている。当該公報記載の照明装置は、指針に応じた指標部とこの指標部の背景となる地部とを有する表示板と、この表示板を背後から照明する光源とを備えており、地部に対応して透過光の光量を平面方向に従って変化させるグラデーション印刷層を設け、光源の点灯により、地部の明るさを平面方向に従って徐々に変化させて表示板の照明意匠に奥行き感、立体感を持たせたものである。
【０００３】
【特許文献１】
特開平９−０９６５４６号公報
【０００４】
グラデーション印刷層としては、既存の網点印刷技術を流用でき、例えば遮光率の高いインクを網点状に印刷することにより、透過光の光量を平面方向に従って変化させるグラデーション印刷層を設けることができる。
【０００５】
【発明が解決しようとする課題】
しかしながら、網点状の印刷グラデーション印刷層にて地部の透過光量を制御する場合、透過光の遮断性を確保する都合上、遮光率の高いインク（例えば黒色インク）を用いる必要があるため、グラデーション印刷層の印刷パターンが光透過によって見えてしまい、質感を低下させてしまうことがある。また印刷パターン見えを防止するために、他の印刷層でグラデーション印刷層を覆うことが考えられるが、印刷層の追加によって照明輝度が低下しまうという問題があった。
【０００６】
そこで本発明は、前述の課題に対して対処するため、照明輝度を保ちつつ質感を向上させることが可能な指針式計器の提供を目的とする。
【０００７】
【課題を解決するための手段】
本発明は、前記目的を達成するため、指針と、この指針に対応する指標部と光透過性の地部とを備える表示板と、この表示板を背後から照明する照明手段とを備え、前記照明手段は光源と、前記指針の回転軸線方向において前記光源に対向する第１の反射体と、前記表示板に沿って前記光源及び前記第１の反射体から離れる方向に延びる第２の反射体とを有し、前記地部を照らす前記光源からの直接光と前記光源から発せられ前記第１，第２の反射体を通じて前記地部を照らす間接光とでなる照明光により前記地部を面照明するよう構成されると共に、前記地部に到達する前記照明光の光量が前記光源から遠ざかるに従って次第に減少するように構成されることを特徴とする。
【０００８】
また本発明は、前記地部がその平面方向において光透過度が略一定であることを特徴とする。
【０００９】
また本発明は、前記第１の反射体が前記表示板に設けられた印刷層からなることを特徴とする。
【００１０】
【発明の実施の形態】
以下、図面に基づいて本発明の指針式計器による実施形態を説明する。図１〜図５は本発明の第１の実施形態を示すもので、図１は指針式計器の正面図、図２は図１のＡ−Ａ断面図、図３は図２中、一点鎖線にて囲んだ要部領域Ｂの断面図、図４は図３中、第１の地部に対応する表示板範囲Ｃの裏面側に到達する光量の変化量を示す図、図５は図３中、表示板範囲Ｃを透過した後の光量の変化量を示す図である。
【００１１】
本実施形態による指針式計器は、図１，図２に示すように、計器本体１の回転軸２の先端側に固着され、計測量に応じて回転軸２を中心に回転する指針３と、この指針３の背面側に位置する指標部４が施された表示板５と、この表示板５の背面側に位置するガラスエポキシ樹脂からなる硬質の回路基板６と、この回路基板６と表示板５との間に配置される例えば白色合成樹脂製の枠体７と、回路基板６上に設けられ指針３と表示板５のそれぞれを照明する光源８，９とで構成されている。なお、計器本体１は回路基板６の背後に配置され、回転軸２は回路基板６を貫通している。
【００１２】
表示板５は、例えばポリカーボネートやアクリル等の実質的に無色で透光性を有する合成樹脂からなる平板状の基板５１と、この基板５１にスクリーン印刷等の手段によって印刷形成された複数の印刷層５２とで構成され、図１に示すように、指針３に対応する目盛部４ａや数字部４ｂからなる光透過性を有する複数の指標部４と、これら指標部４を含んで「Ｃ」字状に広がりその背景となる光透過性の第１の地部（地部）５Ａと、この第１の地部５Ａの周囲に広がる遮光性の第２の地部５Ｂを有している。
【００１３】
印刷層５２は、図３に詳しく示すように、光透過性を有する例えば白色の第１の着色層５２１、光透過性を有する例えば青色の第１の着色層５２２、遮光性を有する例えば黒色の遮光層５２３、無色透明な保護層５２４、白色の反射層（第１の反射体）５２５とからなり、第１の着色層５２１〜保護層５２４までが基板５１の表面側に形成され、反射層５２５は図２に示すように、基板５１の裏面（背面）側に形成されている。
【００１４】
そして本例の場合、遮光層５２３は、指標部４ａ，４ｂ及び第１の地部５Ａとなる箇所を除いて基板５１の全体を覆うように印刷形成され、遮光層５２３の無い箇所により、白色の第１の着色層５２１でなる目盛部４ａ及び数字部４ｂと、青色の第１の着色層５２２でなる第１の地色５Ａが形成され、また、遮光層５２３のある箇所により、第２の地色部５Ｂと、数字部４ｂを縁どる縁取部４Ａを形成する。
【００１５】
また反射層５２５は、光源９に対して、回転軸２の軸方向（指針３の軸線方向）において光源９に対向する所要領域に形成され、光源９から光を放射状に反射するようになっている。なお基板５１を挟んで反射層５２５の反対側は遮光層５２３によって覆われ、反射層５２５から透過する光を遮断できるようになっている。
【００１６】
枠体７には、指針３を照明する照明領域と、表示板５を照明するための照明領域とを区画する仕切壁７１と、表示板５に沿って光源９及び反射層５２５から離れる方向に延びる反射壁（第２の反射体）７２とを備えている。
【００１７】
仕切壁７１は、回転軸２を取り巻く円筒状に形成され、その内部に指針３を照明する複数個の光源８が収納され、これら光源８は、例えば赤色光を照射する発光ダイオードからなり、回路基板６上に搭載されている。
【００１８】
反射壁７２は、光源９から遠ざかるに従って表示板５に近接する傾斜面または湾曲面を構成し、その全体構造は、回転軸２を中心として放射状に広がるパラボナアンテナ状に形成され、光源９からの光を反表示板５側に反射するようになっている。光源９は、例えば白色光を照射する発光ダイオードからなり、仕切壁７１の外側を円形状に取り巻くように回路基板６上に複数設けられ、しかもこれら光源９は、表示板５の第１の地部５Ａの少なくとも一部に直接光を照射できる位置に配置されている。
【００１９】
また、反射壁７２と表示板５との間と、光源９と反射層５２５との間には、双方に連通する空気層Ｓが形成され、本例の場合、この空気層Ｓと、反射層５２５と、反射壁７２とで表示板５を照明する照明手段Ｌを構成している。
【００２０】
このように構成された本例の指針式計器において、各光源８，９が点灯すると、光源８の光は指針３に導かれ、指針３を線状に発光させる。一方、光源９が点灯すると、光源９からの光は、空気層Ｓを通じて第１の地部５Ａと指標部４を照らす直接光として第１の地部５Ａと指標部４を直接照らすと共に、反射層５２５と反射壁７２で反射されて空気層Ｓ内を進む間接光として第１の地部５Ａと指標部４を間接的に照らし、これにより、第１の地部５Ａが青色に面照明されると共に指標部４が白色の第１の着色層５２１の色となる白色に照明される。
【００２１】
ここで、光源９から発せられ、第１の地部５Ａを照らす直接光と間接光とでなる照明光の面方向におけるトータル光量に着目すると、第１の地部５Ａに対応する表示板範囲Ｃに到達する照明光の光量は、図４に示すように、光源９に近い側が多く、光源９から遠ざかるに従って次第に減少していくようになっており、これに比例して表示板範囲Ｃ（第１の地部５Ａ）を透過した後の光量分布も図５に示すように、光源９から遠ざかるに従って次第に光量が低下し、これにより、第１の地部５Ａの明るさを平面方向に従って徐々に減少させて表示板５の第１の地部５Ａを図１に示すようにグラデーション照明し、照明意匠に奥行き感、立体感を持たせている。なお図５において、表示板範囲Ｃ（第１の地部５Ａ）を透過した後の光量の部分的な落ち込みは、縁取部４ｃを形成する遮光層５２３によるものである。また本例において第１の地部５Ａをグラデーション照明すると、第１の地部５Ａは、光源９に近い側から遠い側に向けて、明るい青色からくすんだ（暗い）青色に徐々に変化する色調変化を帯びて視認される。
【００２２】
以上のように本実施形態によれば、計測量に応じて回転する指針３と、この指針３に対応する指標部４とこの指標部４の背景となる第１の地部５Ａとを備える表示板５と、この表示板５の背後に配置され表示板５を背後から照明する照明手段Ｌとを備え、表示板５の第１の地部５Ａが光透過性を有するように構成され、照明手段は光源９と、指針３の回転軸線方向において光源９に対向する反射層５２５と、表示板５に沿って光源９及び反射層５２５から離れる方向に延びる反射壁７２と、光源９と反射層５２５との間と反射壁７２と表示板５との間の双方に連通する空気層Ｓとを有し、空気層Ｓを通じて第１の地部５Ａを照らす光源９からの直接光と、光源９から発せられ反射層５２５、反射壁７２、空気層Ｓを通じて第１の地部５Ａを照らす間接光とでなる照明光により第１の地部５Ａを面照明するよう構成されると共に、第１の地部５Ａに到達する照明光の光量が光源９から遠ざかるに従って次第に減少するように構成されることにより、照明手段Ｌの供給する照明光の光量分布自体に平面方向の変化を持たせることができ、これにより表示板５に光の透過量を制御する網点状のグラデーション印刷層のごとき専用の印刷を施す必要がないため、印刷パターンの透過による質感の低下や印刷層の追加による輝度低下も抑制でき、照明輝度を保ちつつ質感を向上させることができる。
【００２３】
また本実施形態によれば、表示板５において第１の地部５Ａに対応する領域（縁取部４ｃ，数字部５ｂは除く）は、その平面方向における光透過度が略一定となるように、特別な透過光調整層は設けていないが、照明手段Ｌの供給する照明光の光量分布自体に平面方向の変化を持たせる構成を採用した上で、必要に応じて透過光調整層を設けても良い。なおこのような透過光調整層の採用は、できるだけ避ける方がコスト低減を考慮すると、有利である。
【００２４】
また本実施形態によれば、表示板５に第１の反射体に相当する反射層（印刷層）５２５を設けたことにより、印刷にて第１の反射体を設けることができ、部品点数削減、コスト削減等に有利である。
【００２５】
なお反射層（印刷層）５２５からなる第１の反射体に代えて、例えば本発明の第２の実施形態として、図６に示すように、枠体７に第２の反射壁７３を設けてもよいし、この場合、第２の反射壁７３は、例えば本発明の第３の実施形態として図７に示すように、所定角度傾斜させてもよい。
【００２６】
【発明の効果】
以上詳述したように、本発明によれば、初期の目的を達成することができ、照明輝度を保ちつつ質感を向上させることが可能な指針式計器を提供することができる。
【図面の簡単な説明】
【図１】本発明の第１の実施形態を示す正面図。
【図２】図１のＡ−Ａ断面図。
【図３】図２中、一点鎖線にて囲んだ要部領域Ｂの断面図。
【図４】図３中、表示板範囲Ｃの裏面側に到達する光量の変化量を示す図。
【図５】図３中、表示板範囲Ｃを透過した後の光量の変化量を示す図。
【図６】本発明の第２の実施形態を示す要部断面図。
【図７】本発明の第３の実施形態を示す要部断面図。
【符号の説明】
１    計器本体
２    回転軸
３    指針
４    指標部
４ａ  目盛部
４ｂ  数字部
４ｃ  縁取部
５    表示板
５Ａ  第１の地部
５Ｂ  第２の地部
６    回路基板
７    枠体
８，９  光源
５１  基板
５２  印刷層
７１  仕切壁
７２  反射壁（第２の反射体）
７３  第２の反射壁（第１の反射体）
５２１  第１の着色層
５２２  第１の着色層
５２３  遮光層
５２４  保護層
５２５  反射層（第１の反射体）
【図１】
2004177372.tif 000003
【図２】
2004177372.tif 000004
【図３】
2004177372.tif 000005
【図４】
2004177372.tif 000006
【図５】
2004177372.tif 000007
【図６】
2004177372.tif 000008
【図７】
2004177372.tif 000009